【手続補正書】
【提出日】平成15年12月8日(2003.12.8)
【手続補正１】
【補正対象書類名】明細書
【補正対象項目名】特許請求の範囲
【補正方法】変更
【補正の内容】
【特許請求の範囲】
【請求項１】
各文書要素に要素名を持つタグが付与されている構造化文書において、
前記各文書要素の意味的構造を判断する意味的構造判断ステップと、
前記意味的構造判断ステップの判断結果に基づいて、前記構造化文書における文書要素の出現状態を定義する文書型定義を生成する文書型定義生成ステップとを有することを特徴とする文書型定義生成方法。
【請求項２】
さらに、各文書要素の物理的構造を判断する物理的構造判断ステップを有し、
前記文書型定義生成ステップは、前記物理的構造判断ステップと前記意味的構造判断ステップとの判断結果に基づいて、前記構造化文書における文書要素の出現状態を定義することを特徴とする請求項１記載の文書型定義生成方法。
【請求項３】
前記物理的構造判断ステップにおいて、字下げまたは空白行に基づいて、文書要素の物理的構造を判断することを特徴とする請求項２記載の文書型定義生成方法。
【請求項４】
前記字下げに基づいて、文書要素の物理的構造を判断する際に、引用を表す字下げを除外して判断することを特徴とする請求項３記載の文書型定義生成方法。
【請求項５】
前記空白行に基づいて文書要素の物理的構造を判断する際に、常に所定行ずつ空白行を設けて記述した文書における空白行を除外して判断することを特徴とする請求項３記載の文書型定義生成方法。
【請求項６】
前記物理的構造判断ステップにおいて、文書要素を囲むタグ同士の位置関係に基づいて、文書要素の物理的構造を判断することを特徴とする請求項２記載の文書型定義生成方法。
【請求項７】
前記意味的構造判断ステップにおいて、意味情報データベースを参照して文書中の語句の繋がりや単語の種類を基に文書要素の意味的構造を判断することを特徴とする請求項１記載の文書型定義生成方法。
【請求項８】
前記意味的構造判断ステップにおいて、文書要素を囲むタグの表わす意味に基づいて、文書要素の意味的構造を判断することを特徴とする請求項１記載の文書型定義生成方法。
【請求項９】
前記文書型定義生成ステップが、前記物理的構造判断ステップと前記意味的構造判断ステップとの判断結果に基づいて、要素名の異なるタグを持つ複数の文書要素の物理的構造と意味的構造とが類似する場合に、それらの文書要素を同一タイプと見なして一方の要素名を文書型定義の生成対象から除外する冗長性排除ステップを有することを特徴とする請求項２記載の文書型定義生成方法。
【請求項１０】
前記冗長性排除ステップにおいて、要素名の異なるタグを持つ文書要素間において物理的構造と意味的構造のそれぞれの一致度合いについての類似度を求め、それらの類似度から算出した総合的な類似度の値が所定のしきい値以上の場合に、それらの文書要素を同一タイプと見なすことを特徴とする請求項９記載の文書型定義生成方法。
【請求項１１】
前記文書型定義生成ステップが、前記物理的構造判断ステップと前記意味的構造判断ステップとの判断結果に基づいて、要素名が同一のタグを持つ複数の文書要素の物理的構造と意味的構造とが異なる場合に、それらの文書要素を異なるタイプと見なして一方の要素名を変更する名称変更ステップを有することを特徴とする請求項２記載の文書型定義生成方法。
【請求項１２】
前記文書型定義生成ステップにおいては、同一名称の開始タグと終了タグとの間に存在する語句を解析して、当該タグ間に含まれるべき情報を得て、該情報に基づいて文書型定義を生成することを特徴とする請求項１記載の文書型定義生成方法。
【請求項１３】
各文書要素に要素名を持つタグが付与されている構造化文書に対し、前記各文書要素の意味的構造を判断する意味的構造判断手段と、
前記物理的構造判断手段と前記意味的構造判断手段との判断結果に基づいて、前記構造化文書における文書要素の出現状態を定義する文書型定義を生成する文書型定義生成手段とを有することを特徴とする文書型定義生成装置。
【請求項１４】
さらに、各文書要素の物理的構造を判断する物理的構造判断手段を有し、
前記文書型定義生成手段は、前記物理的構造判断手段と前記意味的構造判断手段との判断結果に基づいて、前記構造化文書における文書要素の出現状態を定義することを特徴とする請求項１３記載の文書型定義生成装置。
【請求項１５】
前記物理的構造判断手段が、字下げまたは空白行に基づいて、文書要素の物理的構造を判断することを特徴とする請求項１４記載の文書型定義生成装置。
【請求項１６】
前記物理的構造判断手段が、前記字下げに基づいて文書要素の物理的構造を判断する際に、引用を表す字下げを除外して判断することを特徴とする請求項１４記載の文書型定義生成装置。
【請求項１７】
前記物理的構造判断手段が、前記空白行に基づいて文書要素の物理的構造を判断する際に、常に所定行ずつ空白行を設けて記述した文書における空白行を除外して判断することを特徴とする請求項１４記載の文書型定義生成装置。
【請求項１８】
前記物理的構造判断手段が、文書要素を囲むタグ同士の位置関係に基づいて、文書要素の物理的構造を判断することを特徴とする請求項１４記載の文書型定義生成装置。
【請求項１９】
前記意味的構造判断手段が、意味情報データベースを参照して文書中の語句の繋がりや単語の種類を基に文書要素の意味的構造を判断することを特徴とする請求項１４記載の文書型定義生成装置。
【請求項２０】
前記意味的構造判断手段が、文書要素を囲むタグの表わす意味に基づいて、文書要素の意味的構造を判断することを特徴とする請求項１３記載の文書型定義生成装置。
【請求項２１】
前記文書型定義生成手段が、前記物理的構造判断手段と前記意味的構造判断手段との判断結果に基づいて、要素名の異なるタグを持つ複数の文書要素の物理的構造と意味的構造とが類似する場合に、それらの文書要素を同一タイプと見なして一方の要素名を文書型定義の生成対象から除外する冗長性排除手段を有することを特徴とする請求項１４記載の文書型定義生成装置。
【請求項２２】
前記冗長性排除手段が、要素名の異なるタグを持つ文書要素間において物理的構造と意味的構造のそれぞれの一致度合いについての類似度を求め、それらの類似度から算出した総合的な類似度の値が所定のしきい値以上の場合に、それらの文書要素を同一タイプと見なすことを特徴とする請求項２１記載の文書型定義生成装置。
【請求項２３】
前記文書型定義生成手段が、前記物理的構造判断手段と前記意味的構造判断手段との判断結果に基づいて、要素名が同一のタグを持つ複数の文書要素の物理的構造と意味的構造とが異なる場合に、それらの文書要素を異なるタイプと見なして一方の要素名を変更する名称変更手段を有することを特徴とする請求項１４記載の文書型定義生成装置。
【請求項２４】
前記文書型定義生成手段が、同一名称の開始タグと終了タグとの間に存在する語句を解析して、当該タグ間に含まれるべき情報を得て、該情報に基づいて文書型定義を生成することを特徴とする請求項１３記載の文書型定義生成装置。
【請求項２５】
各文書要素に要素名を持つタグが付与されている構造化文書に対し、前記各文書要素の意味的構造を判断する意味的構造判断ステップと、
前記意味的構造判断ステップとの判断結果に基づいて、前記構造化文書における文書要素の出現状態を定義する文書型定義を生成する文書型定義生成ステップとをコンピュータに実行させるための文書型定義生成プログラムを記憶したことを特徴とする記憶媒体。
【請求項２６】
各文書要素に要素名を持つタグが付与されている構造化文書に対し、各文書要素の物理的構造を判断する物理的構造判断ステップと、
前記物理的構造判断ステップの判断結果に基づいて、前記構造化文書における文書要素の出現状態を定義する文書型定義を生成する文書型定義生成ステップとを有することを特徴とする文書型定義生成方法。
【手続補正２】
【補正対象書類名】明細書
【補正対象項目名】０００８
【補正方法】変更
【補正の内容】
【０００８】
【課題を解決するための手段】
上述した目的を達成するための１手段として、本発明は、各文書要素に要素名を持つタグが付与されている構造化文書に対し、前記各文書要素の意味的構造を判断する意味的構造判断ステップと、前記意味的構造判断ステップの判断結果に基づいて、前記構造化文書における文書要素の出現状態を定義する文書型定義を生成する文書型定義生成ステップとを有することを特徴とする文書型定義生成方法を提供する。


【手続補正３】
【補正対象書類名】明細書
【補正対象項目名】０００９
【補正方法】変更
【補正の内容】
【０００９】
また、本発明の他の態様によれば、各文書要素に要素名を持つタグが付与されている構造化文書に対し、前記各文書要素の意味的構造を判断する意味的構造判断手段と、前記物理的構造判断手段と前記意味的構造判断手段との判断結果に基づいて、前記構造化文書における文書要素の出現状態を定義する文書型定義を生成する文書型定義生成手段とを有することを特徴とする文書型定義生成装置を提供する。


【手続補正４】
【補正対象書類名】明細書
【補正対象項目名】００１０
【補正方法】変更
【補正の内容】
【００１０】
更に、本発明の他の態様によれば、各文書要素に要素名を持つタグが付与されている構造化文書に対し、前記各文書要素の意味的構造を判断する意味的構造判断ステップと、前記意味的構造判断ステップとの判断結果に基づいて、前記構造化文書における文書要素の出現状態を定義する文書型定義を生成する文書型定義生成ステップとをコンピュータに実行させるための文書型定義生成プログラムを記憶したことを特徴とする記憶媒体を提供する。